(57)【要約】    【課題】  カバー体を装着したままで操作子群及び鍵盤の操作を損なわずに演奏できるようにすると共に、楽器本体を保護し、且つ、カバー体のデザインにより鍵盤楽器の装飾を容易に多様化させる。    【解決手段】  鍵盤楽器は、楽器本体１０に、いずれも着脱自在な複数の後カバー３０及び前カバー４０のうち各１つ装着して成る。楽器本体１０において、上面１１には、鍵盤部１６が設けられ、パネル面１１ａには、操作子群１９が設けられる。後カバー３０において、上板部３１、後板部３２には、それぞれ操作子群１９、端子群１８に対応する形状に切り欠いた切欠部３１ａ、３２ａが形成される。後カバー３０のみを装着した状態では、鍵盤部１６が完全露出すると共に、後カバー３０の切欠部３１ａ、３２ａから操作子群１９、端子群１８も完全露出し、支障なく演奏することができる。【選択図】      図１
2006195057.tif 000002
【特許請求の範囲】
【請求項１】
背面、左右両側面、及び、パネル面を提供する上面を有する楽器本体と、
前記楽器本体の前記上面に設けられた鍵盤部と、
前記楽器本体の前記上面のうち前記パネル面に設けられた操作子群と、
前記楽器本体の前記背面、前記左右両側面、前記パネル面をそれぞれ被覆する背面被腹部、側面被腹部、パネル面被腹部を有すると共に、前記パネル面被腹部に、前記操作子群に対応して開口する操作子群対応開口部が形成されたカバー体とを有し、
前記カバー体を前記楽器本体に被せたとき、前記鍵盤部が露出すると共に、前記パネル面被腹部の前記操作子群対応開口部から前記操作子群が露出するように構成されたことを特徴とする鍵盤楽器。
【請求項２】
前記操作子群は、前記楽器本体の左右方向略中央部において、前記パネル面に集中配置されたことを特徴とする請求項１記載の鍵盤楽器。
【請求項３】
背面、左右両側面、及び、パネル面を提供する上面を有する楽器本体と、
前記楽器本体の前記上面に設けられた鍵盤部と、
前記楽器本体の前記上面のうち前記パネル面に設けられた操作子群とを有し、
前記楽器本体に被せるための複数のカバー体のうち選択された１つのカバー体を前記楽器本体に被せて構成される鍵盤楽器であって、
前記複数のカバー体はいずれも、前記楽器本体の前記背面、前記左右両側面、前記パネル面をそれぞれ被覆する背面被腹部、側面被腹部、パネル面被腹部を有すると共に、前記パネル面被腹部に、前記操作子群に対応して開口する操作子群対応開口部が形成され、前記１つのカバー体を前記楽器本体に被せたとき、前記鍵盤部が露出すると共に、前記パネル面被腹部の前記操作子群対応開口部から前記操作子群が露出し、且つ、前記複数のカバー体は、それらの、色彩、明度、柄及び表面の凹凸の少なくとも１つを含む外観要素が互いに異なっていることを特徴とする鍵盤楽器。
【発明の詳細な説明】
【技術分野】
【０００１】
本発明は、上面に鍵盤部及び操作子群が設けられた鍵盤楽器に関する。
【背景技術】
【０００２】
従来、特許文献１に示されるように、鍵盤楽器において、ケース等のカバー体を設けたものが知られている。上記特許文献１の鍵盤楽器においては、カバー体としてのキャリングケースで鍵盤楽器本体を覆い、鍵盤楽器の持ち運びを便利にしている。
【特許文献１】実開昭５８−７７３９９号公報
【発明の開示】
【発明が解決しようとする課題】
【０００３】
しかしながら、上記特許文献１の鍵盤楽器では、カバー体は、鍵盤楽器の持ち運び時に使用されるものであり、操作子群や鍵盤を含む鍵盤楽器全体を覆うものであるので、演奏時には取り外す必要がある。
【０００４】
従って、例えば、上記鍵盤楽器本体が、専ら据え置きされて演奏に用いられる場合は、カバー体がない状態となるので、衝撃、外力等により損傷を受けたり、経年変化によりパネル面が変色、劣化したりしやすい。
【０００５】
ところで、近年、鍵盤楽器のジャンルにおいても、各々のユーザが、他のユーザとは違った個性的なものを欲する傾向が強くなってきている。しかしながら、鍵盤楽器の本体は、多くの場合、樹脂製であり、本体自体での装飾の多様化はコスト面で難しい。そのため、色等を複数設けることでデザイン上の多機種化がなされているものの、あまり代わり映えがしないのが実情である。従って、鍵盤楽器の装飾を多様化させる観点では改善の余地があった。
【０００６】
本発明は上記従来技術の問題を解決するためになされたものであり、その目的は、カバー体を装着したままで操作子群及び鍵盤の操作を損なわずに演奏することができると共に、楽器本体を保護することができ、且つ、カバー体のデザインにより鍵盤楽器の装飾を容易に多様化させることができる鍵盤楽器を提供することにある。
【課題を解決するための手段】
【０００７】
上記目的を達成するために本発明の請求項１の鍵盤楽器は、背面（１２）、左右両側面（１３、１４）、及び、パネル面（１１ａ）を提供する上面（１１）を有する楽器本体（１０）と、前記楽器本体の前記上面に設けられた鍵盤部（１６）と、前記楽器本体の前記上面のうち前記パネル面に設けられた操作子群（１９）と、前記楽器本体の前記背面、前記左右両側面、前記パネル面をそれぞれ被覆する背面被腹部（３２）、側面被腹部（３３、３４）、パネル面被腹部（３１）を有すると共に、前記パネル面被腹部に、前記操作子群に対応して開口する操作子群対応開口部（３１ａ）が形成されたカバー体（３０）とを有し、前記カバー体を前記楽器本体に被せたとき、前記鍵盤部が露出すると共に、前記パネル面被腹部の前記操作子群対応開口部から前記操作子群が露出するように構成されたことを特徴とする。
【０００８】
好ましくは、前記操作子群は、前記楽器本体の左右方向略中央部において、前記パネル面に集中配置される（請求項２）。
【０００９】
上記目的を達成するために本発明の請求項３の鍵盤楽器は、背面、左右両側面、及び、パネル面を提供する上面を有する楽器本体と、前記楽器本体の前記上面に設けられた鍵盤部と、前記楽器本体の前記上面のうち前記パネル面に設けられた操作子群とを有し、前記楽器本体に被せるための複数のカバー体（３０−１〜３０−ｎ）のうち選択された１つのカバー体を前記楽器本体に被せて構成される鍵盤楽器であって、前記複数のカバー体はいずれも、前記楽器本体の前記背面、前記左右両側面、前記パネル面をそれぞれ被覆する背面被腹部、側面被腹部、パネル面被腹部を有すると共に、前記パネル面被腹部に、前記操作子群に対応して開口する操作子群対応開口部が形成され、前記１つのカバー体を前記楽器本体に被せたとき、前記鍵盤部が露出すると共に、前記パネル面被腹部の前記操作子群対応開口部から前記操作子群が露出し、且つ、前記複数のカバー体は、それらの、色彩、明度、柄及び表面の凹凸の少なくとも１つを含む外観要素が互いに異なっていることを特徴とする。
【００１０】
なお、上記括弧内の符号は例示である。
【発明の効果】
【００１１】
本発明の請求項１に係る鍵盤楽器によれば、カバー体を装着したままで操作子群及び鍵盤の操作を損なわずに演奏することができると共に、楽器本体を保護することができ、且つ、カバー体のデザインにより鍵盤楽器の装飾を容易に多様化させることができる。
【００１２】
本発明の請求項２に係る鍵盤楽器によれば、操作子群の操作時において各操作子間の手の移動距離を短くして、操作子の操作を容易にすることができる。
【００１３】
本発明の請求項３に係る鍵盤楽器によれば、カバー体を装着したままで操作子群及び鍵盤の操作を損なわずに演奏することができると共に、楽器本体を保護することができ、且つ、カバー体のデザインにより鍵盤楽器の装飾を容易に多様化させることができる。また、カバー体の選択により鍵盤楽器の外観をユーザの好みのものにすることができる。
【発明を実施するための最良の形態】
【００１４】
以下、本発明の実施の形態を図面を参照して説明する。
【００１５】
図１は、本発明の一実施の形態に係る鍵盤楽器の分解斜視図である。図２は、同鍵盤楽器の平面図である。本鍵盤楽器は、樹脂製の楽器本体１０に、いずれも着脱自在な後カバー３０及び前カバー４０を各１つ装着して（被せて）成る（図２参照）。以降、本鍵盤楽器の奏者側を前方、奏者からみた右方を右方と呼称する。
【００１６】
図１に示すように、後カバー３０及び前カバー４０は、それぞれ複数設けられ（３０−１〜３０−ｎ、４０−１〜４０−ｎ）、そのうち各１つが選択されて、楽器本体１０に被せられる。後カバー３０及び前カバー４０は、いずれも、合成皮革等で一体に構成される。複数の後カバー３０は、基本形状（後述）は同じであるが、色彩、明度、柄及び表面の凹凸の少なくとも１つを含む外観要素が互いに異なっている。複数の前カバー４０についても同様で、基本形状は同じで、上記外観要素が互いに異なっている。
【００１７】
後カバー３０及び前カバー４０の選択は、ユーザによってなされ、例えば、当該鍵盤楽器の購入時にユーザが各１つを選択する。あるいは、後カバー３０及び前カバー４０を、それぞれ数個、楽器本体１０に付属させ、購入後において、ユーザが所望の後カバー３０及び前カバー４０を選択し、装着してもよい。この場合、ユーザは、装着する後カバー３０、前カバー４０を随時変更することができる。
【００１８】
図１、図２に示すように、楽器本体１０は、上面１１、後面１２、左側面１３、右側面１４、前面１５及び不図示の底面を有して、略直方体状に構成される。上面１１の一部はパネル面１１ａを提供する。すなわち、上面１１には、鍵盤部１６が設けられ、上面１１のうち鍵盤部１６より後方部分がパネル面１１ａとなっている。鍵盤部１６の直後において、パネル面１１ａには、操作子群１９（１９（１）〜１９（３））が設けられる。操作子群１９は、本鍵盤楽器の左右方向における略中央に集中配置されている。これにより、操作子群１９の操作時において、各操作子間の手の移動距離が短くて済み、操作子操作が容易になっている。なお、操作子群１９には、表示部が含まれていてもよい。
【００１９】
楽器本体１０の後面１２には、端子群１８が設けられる（図１参照）。端子群１８は、他の装置と接続したり、電源と接続したりするためのものであり、これらも、本鍵盤楽器の左右方向における略中央に集中配置されている。また、楽器本体１０の左右両側部にはスピーカ部１７（１７Ｌ、１７Ｒ）が設けられている。スピーカ部１７Ｌ、１７Ｒは、上面１１から後面１２にかけて設けられる。
【００２０】
図３（ａ）は、後カバー３０を裏側からみた斜視図、同図（ｂ）は、前カバー４０を裏側からみた斜視図である。
【００２１】
図１〜図３に示すように、後カバー３０は、基本形状として、楽器本体１０の後半部をほぼ覆うような形状に構成され、装着時に楽器本体１０のパネル面１１ａ、後面１２、左側面１３及び右側面１４とそれぞれ対向する上板部３１、後板部３２、左側板部３３及び右側板部３４を有する。上板部３１、後板部３２には、それぞれ操作子群１９、端子群１８に対応する形状に切り欠いた切欠部３１ａ、３２ａが形成されている。また、上板部３１から後板部３２にかけて、スピーカ部１７Ｌ、１７Ｒに対応する部分には、多数の小孔で成るスピーカ対応部３７（３７Ｌ、３７Ｒ）が形成されている。
【００２２】
また、図３に示すように、上板部３１の裏面には、複数の粘着部３６（３６（１）〜３６（３））が設けられ、左側板部３３、右側板部３４の各裏面には、粘着部３８（３８（１）、３８（２））が設けられ、後板部３２の裏面には、複数の粘着部３９（３９（１）〜３９（４））が設けられている。これら粘着部３６、３８、３９は、例えば、透明なシリコンシート等の、樹脂及び合成皮革に対して強すぎない粘着性があり、且つ繰り返しの貼り／剥がしに適した材料で成り、上板部３１、左側板部３３、右側板部３４、後板部３２の各裏面に、容易に剥がれないように接着されている。
【００２３】
一方、図１〜図３に示すように、前カバー４０は、基本形状として、楽器本体１０の前半部を主に覆うような形状に構成され、装着時に楽器本体１０の上面１１、左側面１３、右側面１４及び前面１５とそれぞれ対向する上板部４１、左側板部４３、右側板部４４及び前板部４５を有する。上板部４１は、鍵盤部１６に対応する部分から後方に延びる延設部４１ａを有し、この延設部４１ａが、操作子群１９に対応し、後カバー３０の切欠部３１ａよりやや大きく形成されている。
【００２４】
また、図３に示すように、上板部４１の裏面には、複数の粘着部４６（４６（１）〜４６（３））が設けられ、左側板部４３、右側板部４４の各裏面には、粘着部４８（４８（１）、４８（２））が設けられ、前板部４５の裏面には、複数の粘着部４９（４９（１）〜４９（４））が設けられている。これら粘着部４６、４８、４９の構成は、粘着部３６等と同様である。
【００２５】
粘着部３６、３８、３９、４８、４９は、楽器本体１０に対して貼着されるためのものであるが、粘着部４６だけは、後カバー３０に対して貼着されるためのものであり、後カバー３０と前カバー４０とのオーバーラップする範囲に配置される。なお、楽器本体１０の、粘着部３６、３８、３９、４８、４９に対向する部分、及び、後カバー３０の上板部３１の、粘着部４６に対応する部分は、いずれも滑らかな平面状に形成され、貼着がされやすいようになっている。
【００２６】
かかる構成において、選択した各１つの後カバー３０及び前カバー４０を楽器本体１０に装着するには、まず、楽器本体１０に上方から後カバー３０を被せ、粘着部３６、３９を楽器本体１０のパネル面１１ａ、後面１２に、粘着部３８を楽器本体１０の左側面１３、右側面１４に、それぞれ貼着する。その後、前カバー４０を楽器本体１０に上方から被せ、粘着部４８を楽器本体１０の左側面１３、右側面１４に、粘着部４９を楽器本体１０の前面１５に、それぞれ貼着すると共に、粘着部４６を後カバー３０の上板部３１の表面に貼着する。
【００２７】
演奏するときは、前カバー４０を外す必要があるが、後カバー３０は装着したままでよい。すなわち、後カバー３０のみを装着した状態では、鍵盤部１６が完全露出すると共に、後カバー３０の切欠部３１ａ、３２ａから操作子群１９、端子群１８も完全露出する。従って、後カバー３０を装着したままでも、操作子群１９の各操作子の操作、端子群１８の各端子の機能を全く損なうことなく演奏することができる。しかも、後カバー３０で覆われる部分が、衝撃、外力等による損傷を受けにくく、特にパネル面１１ａにおいては、経年変化による変色、劣化が生じにくい。また、スピーカ部１７の発音は、スピーカ対応部３７を通して放音される。
【００２８】
一方、収納時等、しばらく演奏しないときは、後カバー３０及び前カバー４０を共に装着した状態とする。前カバー４０は、鍵盤部１６を完全に覆うと共に、延設部４１ａが後カバー３０の上板部３１とオーバーラップして切欠部３１ａを覆うので、延設部４１ａにより操作子群１９も完全に覆われる。これにより、衝撃、外力等から楽器本体１０全体が保護されると共に、経年変化による楽器本体１０の表面の変色、劣化が抑制される。
【００２９】
本実施の形態によれば、後カバー３０を装着した状態で、鍵盤部１６、操作子群１９、端子群１８が露出するようにしたので、後カバー３０を装着したままでも鍵盤操作及び操作子操作等を損なわずに演奏することができると共に、楽器本体１０の後カバー３０で覆われた部分を保護することができる。
【００３０】
また、後カバー３０及び前カバー４０は、ユーザの所望により複数の種類の中から各１つ選択して楽器本体１０に被せるようにしたので、後カバー３０及び前カバー４０の選択により鍵盤楽器の外観をユーザの好みのものにすることができる。従って、後カバー３０及び前カバー４０のデザインの種類を増やせば、鍵盤楽器の装飾も、低コストで容易に多様化させることができる。
【００３１】
さらに、上記各粘着部は、シリコンシートとしたので、楽器本体１０の表面、及び後カバー３０の上板部３１の表面には粘着剤を施さなくてよいことから、前カバー４０を外した状態、乃至、後カバー３０を外した状態で、鍵盤楽器の外観が損なわれない。しかも、上記各粘着部は透明であるので、取り外した後カバー３０及び前カバー４０を裏側からみた場合の見栄えもよい。
【００３２】
なお、操作子群１９を露出させることに限っていえば、切欠部３１ａは、穴として形成してもよい。ちなみに、本実施の形態では、操作子群１９は、鍵盤部１６の直後に配置され、鍵盤部１６に近接しているので、後カバー３０の装着状態において鍵盤部１６及び操作子群１９を共に露出させる上で、後カバー３０の切欠部３１ａを、上記のように切り欠くことで形成でき、大穴等を設ける場合に比し、後カバー３０の構成が簡単である。
【００３３】
なお、上記各粘着部の配置及び数は、例示したものに限定されず、例えば、後カバー３０及び前カバー４０の縁に沿って全周に施してもよい。また、上記各粘着部の構成は、シリコンシート等の粘着剤に限定されず、ホック、マジックテープ（登録商標）等の物理的な接合手段を用いてもよい。
【００３４】
以下、図４、図５を用いて本実施の形態の変形例を説明する。図４（ａ）、（ｂ）、（ｃ）は、本実施の形態の第１、第２、第３変形例に係る楽器本体及び後カバーの部分斜視図である。なお、前カバーについては、上記前カバー４０と同様であるので、図示していない。
【００３５】
第１変形例では、同図（ａ）に示すように、楽器本体１０に相当する楽器本体１１０には、そのパネル面１１ａの左側部に、楽音効果制御用等のロータリー操作子１１１が設けられている。その他の構成は楽器本体１０と同様である。一方、後カバー３０に相当する後カバー１３０には、その上板部３１において、ロータリー操作子１１１に対応する部分に、貫通穴１３１が設けられている。その他の構成は後カバー３０と同様である。後カバー１３０を楽器本体１１０に被せたとき、貫通穴１３１からロータリー操作子１１１が完全露出して、演奏時におけるロータリー操作子１１１の操作が支障なく行えるようになっている。
【００３６】
第２変形例では、同図（ｂ）に示すように、楽器本体１０に相当する楽器本体２１０には、その後面１２に、スピーカ部１７Ｌに相当するスピーカ部２１７Ｌが設けられている。その他の構成は楽器本体１０と同様である。一方、後カバー３０に相当する後カバー２３０には、その後板部３２において、スピーカ部２１７Ｌに対応する部分に、スピーカ対応部３７Ｌと同様の多数の小孔で成るスピーカ対応部２３７Ｌが設けられている。スピーカ部２１７Ｌの発音は、スピーカ対応部２３７Ｌを通して放音される。右側については図示はしないが、楽器本体２１０、後カバー２３０の右側部においても、スピーカ部２１７Ｌ、スピーカ対応部２３７Ｌと同様のものが左右対称位置に設けられている。
【００３７】
第３変形例では、同図（ｃ）に示すように、楽器本体１０に相当する楽器本体３１０には、そのパネル面１１ａの左側部に、スピーカ部１７Ｌに相当するスピーカ部３１７Ｌが設けられている。その他の構成は楽器本体１０と同様である。一方、後カバー３０に相当する後カバー３３０には、その上板部３１において、スピーカ部３１７Ｌに対応する部分に、スピーカ対応部３７Ｌと同様の多数の小孔で成るスピーカ対応部３３７Ｌが設けられている。スピーカ部３１７Ｌの発音は、スピーカ対応部３３７Ｌを通して放音される。右側については図示はしないが、楽器本体３１０、後カバー３３０の右側部においても、スピーカ部３１７Ｌ、スピーカ対応部３３７Ｌと同様のものが左右対称位置に設けられている。
【００３８】
これら第１〜第３変形例によっても、上記図１〜図３で説明した本実施の形態と同様の効果を奏することができる。
なお、本実施の形態において、スピーカ対応部３７、２３７、３３７は、多数の小孔で構成したが、これに限るものでなく、スピーカ部１７、２１７、３１７に対応する形状の大穴で構成してもよい。
【００３９】
図５は、本実施の形態の第４変形例に係る楽器本体及び後カバーの部分断面の模式図である。この第４変形例では、上記後カバー３０に相当する後カバー５０が分割２重構造となっている。後カバー５０のその他の部分の構成は上記後カバー３０と同様である。また、前カバーについては、上記前カバー４０と同様である。
【００４０】
図５に示すように、後カバー５０は、いずれも上記後カバー３０と同様の形状をした上層部５１と下層部５２とが重ねられて成る。すなわち、同図では、後部しか図示していないが、上層部５１及び下層部５２は、楽器本体１０の後面１２、左側面１３及び右側面１４のそれぞれ（図２参照）に沿って下方に折り曲げられ、上層部５１の裏面または下層部５２の表面の少なくとも一方に設けられた粘着部５３によって、互いに繰り返しの貼り／剥がしが可能な接着状態とされている。粘着部５３の構成は、上記粘着部３６と同様であるが、上記した、マジックテープ（登録商標）等の物理的な接合手段であってもよい。
【００４１】
このように、後カバー５０を分割２重構造とすることで、上層部５１のみを交換可能にすることができる。従って、例えば、上層部５１が汚れた場合は、上層部５１のみをメーカーから取り寄せて交換すれば、新品時と同じような外観に戻すことができ、楽器本体１０に対するユーザの愛着を長く保てるようにすることができる。また、上層部５１と下層部５２とは、材質、質感等を同じにする必要はなく、例えば、下層部５２は高級でない仕上げとし、上層部５１だけを高級な仕上げとすることで、コストの上昇を抑えつつ高級感を得ることができる。
【００４２】
第４変形例において、粘着部５３のうち、例えば、下層部５２の上面に位置するものについては、ボタン、ホック等の物理的な接合手段で構成し、その接合手段の輪郭が、上層部５１の表側から視認されるようにすれば、その接合手段自体も装飾の一部とすることもできる。
【００４３】
なお、本実施の形態において、後カバー３０及び前カバー４０は、合成皮革に限らず、他の材料で構成してもよいが、より大きい装飾的効果を得る観点からは、楽器本体１０（樹脂）とは質感の異なる材料で構成するのが好ましい。
【００４４】
なお、本実施の形態では、前カバー４０を設けたが、カバー体として後カバー３０のみを設けた構成を採用してもよい。この場合、装着状態のまま支障なく演奏可能にする観点からは、後カバー３０は、楽器本体１０の上面１１に関しては、少なくとも鍵盤部１６及び操作子群１９が露出するように構成してもよく、例えば、パネル面１１ａだけでなく、上面１１のうち鍵盤部１６及び操作子群１９が存在する領域以外のすべてを覆うように構成してもよい。また、この場合において、後カバー３０の左側板部３３、右側板部３４が、それぞれ左側面１３、右側面１４の全面を覆うように構成してもよい。
【００４５】
あるいは、後カバー３０と前カバー４０の双方を兼ねた一体のカバー体を設けてもよい。この場合、楽器本体１０の上面１１に関しては、このカバー体の装着時に少なくとも鍵盤部１６及び操作子群１９が露出するように構成すればよい。
【図面の簡単な説明】
【００４６】
【図１】本発明の一実施の形態に係る鍵盤楽器の分解斜視図である。
【図２】同鍵盤楽器の平面図である。
【図３】後カバーを裏側からみた斜視図（図（ａ））、前カバーを裏側からみた斜視図（図（ｂ））である。
【図４】本実施の形態の第１、第２、第３変形例に係る楽器本体及び後カバーの部分斜視図（図（ａ）、（ｂ）、（ｃ））である。
【図５】本実施の形態の第４変形例に係る楽器本体及び後カバーの部分断面の模式図である。
【符号の説明】
【００４７】
１０  楽器本体、  １１  上面、  １２  後面（背面）、  １３  左側面、  １４  右側面、  １１ａ  パネル面、  １６  鍵盤部、  １９  操作子群、  ３０、３０−１〜３０−ｎ  後カバー（カバー体）、  ３１  上板部（パネル面被腹部）、  ３１ａ  切欠部（操作子群対応開口部）、  ３２  後板部（背面被腹部）、  ３３  左側板部（側面被腹部）、  ３４  右側板部（側面被腹部）
【図１】
2006195057.tif 000003
【図２】
2006195057.tif 000004
【図３】
2006195057.tif 000005
【図４】
2006195057.tif 000006
【図５】
2006195057.tif 000007